(57)【要約】【課題】  医師が直感的に患者の受診歴を把握できるようにする。【解決手段】  履歴情報記憶部182には、患者ID及び診療科と、所定期間における上記患者IDによって特定される患者の上記診療科での診療日を示す診療日特定情報とを含む履歴情報が格納されている。表示色記憶部1831には、各診療科の表示色及び非診療日の表示色が格納されている。受診歴表示データ生成手段15は、端末装置から患者IDを含む受診歴表示要求が送られてきたとき、履歴情報記憶部182に格納されている該当する患者の履歴情報と、表示色記憶部1831の内容とに基づいて、受診歴表示グラフを表示させるための受診歴表示データを生成する。上記受診歴表示グラフは、１日を単位長とした所定期間分の帯状のグラフであって、診療日に対応する領域を、その日に診療を行った科に対応する表示色としたものである。【選択図】      図２
2006178810.tif 000002
【特許請求の範囲】
【請求項１】
診療データ管理装置と、複数の端末装置とを含む診療データ管理システムであって、
前記診療データ管理装置が、
患者ＩＤおよび診療日を含む診療データが格納される診療データ記憶部と、
端末装置から送られてきた診療データを前記診療データ記憶部に格納する診療録情報格納手段と、
患者ＩＤと、所定期間における前記患者ＩＤによって特定される患者の診療日を示す診療日特定情報とを含む履歴情報が格納される履歴情報記憶部と、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段と、
診療日の表示形態および非診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段とを備え、
前記端末装置が、
表示部と、
前記診療データ管理装置に対して患者ＩＤ、診療日および診療科を含む診療データを送信する診療データ処理手段と、
前記診療データ管理装置に対して患者ＩＤを含む受診歴表示要求を送信し、該受診歴表示要求に応答して前記診療データ管理装置から送られてきた受診歴表示データに基づいて、前記表示部に受診歴表示グラフを表示する受診歴処理手段とを備えたことを特徴とする診療データ管理システム。
【請求項２】
診療データ管理装置と、複数の端末装置とを含む診療データ管理システムであって、
前記診療データ管理装置が、
患者ＩＤ、診療日および診療科を含む診療データが格納される診療データ記憶部と、
端末装置から送られてきた診療データを前記診療データ記憶部に格納する診療録情報格納手段と、
患者ＩＤおよび診療科と、所定期間における前記患者ＩＤによって特定される患者の前記診療科での診療日を示す診療日特定情報とを含む履歴情報が格納される履歴情報記憶部と、
該履歴情報記憶部に格納されている履歴情報の内の、前記端末装置から送られてきた診療データ中の患者ＩＤおよび診療科によって特定される履歴情報を対象にして、該履歴情報中の診療日特定情報に、前記診療データ中の診療日を追加する履歴情報格納手段と、
非診療日の表示形態および各診療科における診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段とを備え、
前記端末装置が、
表示部と、
前記診療データ管理装置に対して患者ＩＤ、診療日および診療科を含む診療データを送信する診療データ処理手段と、
前記診療データ管理装置に対して患者ＩＤを含む受診歴表示要求を送信し、該受診歴表示要求に応答して前記診療データ管理装置から送られてきた受診歴表示データに基づいて、前記表示部に受診歴表示グラフを表示する受診歴処理手段とを備えたことを特徴とする診療データ管理システム。
【請求項３】
請求項２記載の診療データ管理システムにおいて、
前記表示ルール記憶部が、
非診療日の表示色と、各診療科における診療日の表示色とが格納された表示色記憶部を備え、且つ、
前記受診歴表示データ生成手段が、
前記受診歴表示グラフ中の非診療日に対応する領域の表示形態を、前記表示色記憶部に格納されている非診療日の表示色とし、前記受診歴表示グラフ中の診療日に対応する領域の表示形態を、前記表示色記憶部に格納されている各診療科の表示色の内の、その日に診療を行った診療科の表示色とするための受診歴表示データを生成する構成を有することを特徴とする診療データ管理システム。
【請求項４】
請求項３記載の診療データ管理システムにおいて、
前記受診歴表示データ生成手段が、
前記受診歴表示グラフ中の、複数の診療科で診療を行った診療日に対応する領域については、その領域が診療を行った各診療科毎の部分領域に分割され、且つ各部分領域の表示色が前記表示色記憶部に格納されている対応する診療科の表示色となる受診歴表示データを生成する構成を有することを特徴とする診療データ管理システム。
【請求項５】
請求項４記載の診療データ管理システムにおいて、
前記端末装置からの受診歴表示要求が、
患者ＩＤに加えて診療科を特定する診療科特定情報を含み、且つ、
前記受診歴表示データ生成手段が、
前記受診歴表示グラフ中の、前記受診歴表示要求中の診療科特定情報によって特定される診療科を含む複数の診療科で診療を行った診療日に対応する領域については、その領域が診療を受けた診療科の数と同数の部分領域に分割され、且つ、前記各部分領域の内の最も上の部分領域の表示色が、前記表示色記憶部に格納されている各診療科の表示色の内の、前記受診歴表示要求中の診療科特定情報によって特定される診療科の表示色となる受診歴表示データを生成する構成を有することを特徴とする診療データ管理システム。
【請求項６】
請求項５記載の診療データ管理システムにおいて、
前記診療データ管理装置が、
前記端末装置から患者ＩＤおよび診療科特定情報を含む履歴表示要求が送られてきたとき、前記履歴情報記憶部に格納されている履歴情報の内の、前記履歴表示要求中の患者ＩＤによって特定される患者の各診療科の履歴情報に基づいて、前記患者が何れかの診療科において診療を受けた、現時点に近い方から所定個数の診療日と、その診療日において診療を行った診療科とをテキスト表示するための直近受診歴表示データを生成し、該生成した直近受診歴表示データを要求元の端末装置へ送信する直近受診歴表示データ生成手段を備え、
前記受診歴処理手段が、
前記診療データ管理装置から送られてきた直近受診歴表示データに基づいて、前記表示部に、診療日とその診療日において診療を行った診療科とをテキスト表示する構成を有することを特徴とする診療データ管理システム。
【請求項７】
請求項６記載の診療データ管理システムにおいて、
前記履歴情報記憶部には、患者ＩＤと、前記所定期間における前記患者ＩＤによって特定される患者の手術日を示す手術日特定情報を含む手術履歴情報が格納され、
前記履歴情報格納手段が、前記履歴情報記憶部に格納されている手術履歴情報の内の、前記端末装置から送られてきた、手術日を含む診療データ中の患者ＩＤによって特定される手術履歴情報を対象にして、該手術履歴情報中の手術日特定情報に前記診療データ中の手術日を追加する構成を有し、
前記受診歴表示データ生成手段が、前記端末装置から患者ＩＤを含む受診歴表示要求が送られてきたとき、前記履歴情報記憶部に格納されている手術履歴情報の内の、前記受診歴表示要求中の患者ＩＤによって特定される患者の手術履歴情報に基づいて、前記受診歴表示グラフに対応付けて手術日を表示するための手術日表示データを生成し、該生成した手術日表示データを前記受診歴表示要求の要求元の端末装置へ送信する構成を有し、
前記診療データ処理手段が、前記診療データ管理装置に対して患者ＩＤおよび手術日を含む診療データを送信する構成を有し、
前記受診歴処理手段が、前記手術日表示データに基づいて、前記受診歴表示グラフに対応付けて手術日を表示する構成を有することを特徴とする診療データ管理システム。
【請求項８】
請求項７記載の診療データ管理システムにおいて、
前記履歴情報記憶部には、患者ＩＤと、前記所定期間における前記患者ＩＤによって特定される患者の入院期間を示す入院期間特定情報とを含む入院履歴情報が格納され、
前記履歴情報格納手段が、前記端末装置から送られてきた入院日或いは退院日を含む診療データ中の患者ＩＤによって特定される入院履歴情報中の入院期間特定情報を、前記入院日或いは退院日に基づいて更新する構成を有し、
前記受診歴表示データ生成手段が、前記端末装置から患者ＩＤを含む受診歴表示要求が送られてきたとき、前記履歴情報記憶部に格納されている入院履歴情報の内の、前記受診歴表示要求中の患者ＩＤによって特定される患者の入院履歴情報に基づいて、前記受診歴表示グラフに対応付けて入院期間を表示するための入院期間表示データを生成し、該生成した入院期間表示データを前記受診歴表示要求の要求元の端末装置へ送信する構成を有し、
前記診療データ処理手段が、前記診療データ管理装置に対して患者ＩＤを含み且つ入院日と退院日との内の何れか一方を含む診療データを送信する構成を有し、
前記受診歴処理手段が、前記入院期間表示データに基づいて、前記受診歴表示グラフに対応付けて入院期間を表示する構成を有することを特徴とする診療データ管理システム。
【請求項９】
請求項１乃至６の何れか１項に記載の診療データ管理システムにおいて、
前記診療日特定情報が、前記所定期間における各日を、それぞれ所定ビット数のバイナリコードに対応付けたものであることを特徴とする診療データ管理システム。
【請求項１０】
患者ＩＤおよび診療日を含む診療データが格納される診療データ記憶部と、
端末装置から送られてきた診療データを前記診療データ記憶部に格納する診療録情報格納手段と、
患者ＩＤと、所定期間における前記患者ＩＤによって特定される患者の診療日を示す診療日特定情報とを含む履歴情報が格納される履歴情報記憶部と、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段と、
診療日の表示形態および非診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段とを備えたことを特徴とする診療データ管理装置。
【請求項１１】
患者ＩＤ、診療日および診療科を含む診療データが格納される診療データ記憶部と、
端末装置から送られてきた診療データを前記診療データ記憶部に格納する診療録情報格納手段と、
患者ＩＤおよび診療科と、所定期間における前記患者ＩＤによって特定される患者の前記診療科での診療日を示す診療日特定情報とを含む履歴情報が格納される履歴情報記憶部と、
該履歴情報記憶部に格納されている履歴情報の内の、前記端末装置から送られてきた診療データ中の患者ＩＤおよび診療科によって特定される履歴情報を対象にして、該履歴情報中の診療日特定情報に、前記診療データ中の診療日を追加する履歴情報格納手段と、
非診療日の表示形態および各診療科における診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段とを備えたことを特徴とする診療データ管理装置。
【請求項１２】
請求項１１記載の診療データ管理装置において、
前記表示ルール記憶部が、
非診療日の表示色と、各診療科における診療日の表示色とが格納された表示色記憶部を備え、且つ、
前記受診歴表示データ生成手段が、
前記受診歴表示グラフ中の非診療日に対応する領域の表示形態を、前記表示色記憶部に格納されている非診療日の表示色とし、前記受診歴表示グラフ中の診療日に対応する領域の表示形態を、前記表示色記憶部に格納されている各診療科の表示色の内の、その日に診療を行った診療科の表示色とするための受診歴表示データを生成する構成を有することを特徴とする診療データ管理装置。
【請求項１３】
請求項１２記載の診療データ管理装置において、
前記受診歴表示データ生成手段が、
前記受診歴表示グラフ中の、複数の診療科で診療を行った診療日に対応する領域については、その領域が診療を行った各診療科毎の部分領域に分割され、且つ各部分領域の表示色が前記表示色記憶部に格納されている対応する診療科の表示色となる受診歴表示データを生成する構成を有することを特徴とする診療データ管理装置。
【請求項１４】
請求項１３記載の診療データ管理装置において、
前記端末装置からの受診歴表示要求が、
患者ＩＤに加えて診療科を特定する診療科特定情報を含み、且つ、
前記受診歴表示データ生成手段が、
前記受診歴表示グラフ中の、前記受診歴表示要求中の診療科特定情報によって特定される診療科を含む複数の診療科で診療を行った診療日に対応する領域については、その領域が診療を受けた診療科の数と同数の部分領域に分割され、且つ、前記各部分領域の内の最も上の部分領域の表示色が、前記表示色記憶部に格納されている各診療科の表示色の内の、前記受診歴表示要求中の診療科特定情報によって特定される診療科の表示色となる受診歴表示データを生成する構成を有することを特徴とする診療データ管理装置。
【請求項１５】
請求項１４記載の診療データ管理装置において、
前記診療データ管理装置が、
前記端末装置から患者ＩＤおよび診療科特定情報を含む履歴表示要求が送られてきたとき、前記履歴情報記憶部に格納されている履歴情報の内の、前記履歴表示要求中の患者ＩＤによって特定される患者の各診療科の履歴情報に基づいて、前記患者が何れかの診療科において診療を受けた、現時点に近い方から所定個数の診療日と、その診療日において診療を行った診療科とをテキスト表示するための直近受診歴表示データを生成し、該生成した直近受診歴表示データを要求元の端末装置へ送信する直近受診歴表示データ生成手段を備えたことを特徴とする診療データ管理装置。
【請求項１６】
請求項１５記載の診療データ管理装置において、
前記履歴情報記憶部には、患者ＩＤと、前記所定期間における前記患者ＩＤによって特定される患者の手術日を示す手術日特定情報を含む手術履歴情報が格納され、
前記履歴情報格納手段が、前記履歴情報記憶部に格納されている手術履歴情報の内の、前記端末装置から送られてきた、手術日を含む診療データ中の患者ＩＤによって特定される手術履歴情報を対象にして、該手術履歴情報中の手術日特定情報に、前記診療データ中の手術日を追加する構成を有し、
前記受診歴表示データ生成手段が、前記端末装置から患者ＩＤを含む受診歴表示要求が送られてきたとき、前記履歴情報記憶部に格納されている手術履歴情報の内の、前記受診歴表示要求中の患者ＩＤによって特定される患者の手術履歴情報に基づいて、前記受診歴表示グラフに対応付けて手術日を表示するための手術日表示データを生成し、該生成した手術日表示データを前記受診歴表示要求の要求元の端末装置へ送信する構成を有することを特徴とする診療データ管理装置。
【請求項１７】
請求項１６記載の診療データ管理装置において、
前記履歴情報記憶部には、患者ＩＤと、前記所定期間における前記患者ＩＤによって特定される患者の入院期間を示す入院期間特定情報とを含む入院履歴情報が格納され、
前記履歴情報格納手段が、前記端末装置から送られてきた入院日或いは退院日を含む診療データ中の患者ＩＤによって特定される入院履歴情報中の入院期間特定情報を、前記入院日或いは退院日に基づいて更新する構成を有し、
前記受診歴表示データ生成手段が、前記端末装置から患者ＩＤを含む受診歴表示要求が送られてきたとき、前記履歴情報記憶部に格納されている入院履歴情報の内の、前記受診歴表示要求中の患者ＩＤによって特定される患者の入院履歴情報に基づいて、前記受診歴表示グラフに対応付けて入院期間を表示するための入院期間表示データを生成し、該生成した入院期間表示データを前記受診歴表示要求の要求元の端末装置へ送信する構成を有することを特徴とする診療データ管理装置。
【請求項１８】
請求項１０乃至１５の何れか１項に記載の診療データ管理装置において、
前記診療日特定情報が、前記所定期間における各日を、それぞれ所定ビット数のバイナリコードに対応付けたものであることを特徴とする診療データ管理装置。
【請求項１９】
患者ＩＤおよび診療日を含む診療データが格納される診療データ記憶部と、患者ＩＤと、所定期間における前記患者ＩＤによって特定される患者の診療日を示す診療日特定情報とを含む履歴情報が格納される履歴情報記憶部と、診療日の表示形態および非診療日の表示形態が格納された表示ルール記憶部とを有する診療データ管理装置が、
端末装置から送られてきた診療データを前記診療データ記憶部に格納する診療録情報格納ステップと、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納ステップと、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成ステップとを実行し、
表示部を有する端末装置が、
前記診療データ管理装置に対して患者ＩＤおよび診療日を含む診療データを送信する診療データ処理ステップと、
前記診療データ管理装置に対して患者ＩＤを含む受診歴表示要求を送信する受診歴表示要求送信ステップと、
前記受診歴表示要求に応答して前記診療データ管理装置から送られてきた受診歴表示データに基づいて、前記表示部に受診歴表示グラフを表示する受診歴処理ステップとを実行することを特徴とする受診歴表示方法。
【請求項２０】
患者ＩＤ、診療日および診療科を含む診療データが格納される診療データ記憶部と、患者ＩＤおよび診療科と、所定期間における前記患者ＩＤによって特定される患者の前記診療科での診療日を示す診療日特定情報とを含む履歴情報が格納される履歴情報記憶部と、非診療日の表示形態および各診療科における診療日の表示形態が格納された表示ルール記憶部とを有する診療データ管理装置が、
端末装置から送られてきた診療データを前記診療データ記憶部に格納する診療録情報格納ステップと、
前記履歴情報記憶部に格納されている履歴情報の内の、前記端末装置から送られてきた診療データ中の患者ＩＤおよび診療科によって特定される履歴情報を対象にして、該履歴情報中の診療日特定情報に前記診療データ中の診療日を追加する履歴情報格納ステップと、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成ステップとを実行し、
表示部を有する端末装置が、
前記診療データ管理装置に対して患者ＩＤ、診療日および診療科を含む診療データを送信する診療データ処理ステップと、
前記診療データ管理装置に対して患者ＩＤを含む受診歴表示要求を送信する受診履歴表示要求送信ステップと、
前記受診歴表示要求に応答して前記診療データ管理装置から送られてきた受診歴表示データに基づいて、前記表示部に受診歴表示グラフを表示する受診歴処理ステップとを実行することを特徴とする受診歴表示方法。
【請求項２１】
患者ＩＤおよび診療日を含む診療データが格納される診療データ記憶部と、患者ＩＤと、所定期間における前記患者ＩＤによって特定される患者の診療日を示す診療日特定情報とを含む履歴情報が格納される履歴情報記憶部と、診療日の表示形態および非診療日の表示形態が格納された表示ルール記憶部とを有するコンピュータを、
端末装置から送られてきた診療データを前記診療データ記憶部に格納する診療録情報格納手段、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段として機能させるためのプログラム。
【請求項２２】
患者ＩＤ、診療日および診療科を含む診療データが格納される診療データ記憶部と、患者ＩＤおよび診療科と、所定期間における前記患者ＩＤによって特定される患者の前記診療科での診療日を示す診療日特定情報とを含む履歴情報が格納される履歴情報記憶部と、非診療日の表示形態および各診療科における診療日の表示形態が格納された表示ルール記憶部とを有するコンピュータを、
端末装置から送られてきた診療データを前記診療データ記憶部に格納する診療録情報格納手段、
該履歴情報記憶部に格納されている履歴情報の内の、前記端末装置から送られてきた診療データ中の患者ＩＤおよび診療科によって特定される履歴情報を対象にして、該履歴情報中の診療日特定情報に前記診療データ中の診療日を追加する履歴情報格納手段、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段として機能させるためのプログラム。
【発明の詳細な説明】
【技術分野】
【０００１】
本発明は、医療機関における診療データを電子的に管理する診療データ管理技術に関し、特に、医師が患者の受診歴を迅速に認識することが可能な診療データ管理技術に関する。
【背景技術】
【０００２】
限られた時間で多くの患者を見る必要がある医師にとって、患者が過去に診療を受けた診療科や、診療時期などを示す受診歴は、適切な診療を効率的に行う上で、重要な情報のひとつである。例えば、外来診療の場合、毎日来院する患者であれば、患者の顔や名前と患者の症状とを直ちに結びつけることができる。しかし、最後に来院してから期間が経過した患者や、数ヶ月に１回などの間隔で来院する患者の場合、患者の顔や名前と、患者の過去の症状とが結び付かない場合がある。そのような場合、いつ頃に来院した患者であるかを知るだけでも、患者に対する過去の記憶を呼び起こせる場合があり、診療に役立てることができる。
【０００３】
ところで、現在、多くの病院などの医療機関では、紙カルテを用いて患者の診療データ（診療科，診療行為，診療日などを含む）を管理するようにしている。紙カルテによって診療データが管理されている場合、医師は、患者の紙カルテを一枚ずつめくり、その記載内容を確認することにより、患者の受診歴を認識することになる。
【０００４】
一方、近年、コンピュータを用いて患者の診療データを電子的に管理するということも行われるようになってきている（例えば、特許文献１，２参照）。
【０００５】
特許文献１に記載されている従来の技術では、患者ＩＤ，患者名，住所などが格納される患者基本情報テーブルと、初診日，担当科，疾病名などが格納される患者毎の患者別疾病履歴テーブルと、患者別疾病履歴テーブルに格納されている各疾病についての診療内容などが格納される疾病別診療履歴テーブルとを用いて診療データを管理するようにしている。
【０００６】
また、特許文献２に記載されている従来の技術では、患者ＩＤ，患者名などの患者属性が格納される患者属性データベース（ＤＢ）や、患者ＩＤ，診療科，病名，診療開始日などが格納される病名ＤＢや、患者ＩＤ，入退院日などが格納される移動履歴ＤＢなどの各種ＤＢを用いて診療データを管理するようにしている。
【特許文献１】特開２００３−５８６３５号公報
【特許文献２】特開２００２−３４２４９１号公報
【発明の開示】
【発明が解決しようとする課題】
【０００７】
上述したように、紙カルテによって診療データを管理している場合には、医師が紙カルテを一枚ずつめくり、その記載内容を確認しなければならないため、短時間で患者の受診歴を把握することが難しい。
【０００８】
また、特許文献１，２に記載されている従来の技術を利用して患者の受診歴を調べる場合には、例えば、次のような方法を採用することができる。
【０００９】
特許文献１に記載されている従来の技術を利用する場合は、例えば、記憶装置に格納されている各患者の患者別疾病履歴テーブルの中から、該当する患者の患者別疾病履歴テーブルを検索し、その内容（初診日，担当科，疾病名など診療履歴）を医師によって操作される端末装置の表示部に表示する。医師は、表示部に表示された患者別疾病履歴テーブルの内容に基づいて患者の受診歴を把握する。
【００１０】
また、特許文献２に記載されている従来の技術を利用する場合は、例えば、病名ＤＢから該当する患者に関する情報（診療科，病名，診療開始日などの診療履歴）を全て検索し、検索結果を医師が操作する端末装置の表示部に表示する。医師は、表示部に表示された検索結果に基づいて患者の受診歴を把握する。
【００１１】
しかしながら、上記した特許文献１，２に記載されている従来の技術を利用した方法では、患者の診療履歴がテキスト表示されるだけなので、直感的に患者の受診歴を把握することが難しいという問題がある。
【００１２】
そこで、本発明の目的は、医師が直感的に患者の受診歴を把握できるようにすることにある。
【課題を解決するための手段】
【００１３】
本発明にかかる第１の診療データ管理システムは、
診療データ管理装置と、複数の端末装置とを含む診療データ管理システムであって、
前記診療データ管理装置が、
患者ＩＤおよび診療日を含む診療データが格納される診療データ記憶部と、
端末装置から送られてきた診療データを前記診療データ記憶部に格納する診療録情報格納手段と、
患者ＩＤと、所定期間における前記患者ＩＤによって特定される患者の診療日を示す診療日特定情報とを含む履歴情報が格納される履歴情報記憶部と、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段と、
診療日の表示形態および非診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段とを備え、
前記端末装置が、
表示部と、
前記診療データ管理装置に対して患者ＩＤ、診療日および診療科を含む診療データを送信する診療データ処理手段と、
前記診療データ管理装置に対して患者ＩＤを含む受診歴表示要求を送信し、該受診歴表示要求に応答して前記診療データ管理装置から送られてきた受診歴表示データに基づいて、前記表示部に受診歴表示グラフを表示する受診歴処理手段とを備えたことを特徴とする。
【００１４】
本発明にかかる第２の診療データ管理システムは、
診療データ管理装置と、複数の端末装置とを含む診療データ管理システムであって、
前記診療データ管理装置が、
患者ＩＤ、診療日および診療科を含む診療データが格納される診療データ記憶部と、
端末装置から送られてきた診療データを前記診療データ記憶部に格納する診療録情報格納手段と、
患者ＩＤおよび診療科と、所定期間における前記患者ＩＤによって特定される患者の前記診療科での診療日を示す診療日特定情報とを含む履歴情報が格納される履歴情報記憶部と、
該履歴情報記憶部に格納されている履歴情報の内の、前記端末装置から送られてきた診療データ中の患者ＩＤおよび診療科によって特定される履歴情報を対象にして、該履歴情報中の診療日特定情報に、前記診療データ中の診療日を追加する履歴情報格納手段と、
非診療日の表示形態および各診療科における診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段とを備え、
前記端末装置が、
表示部と、
前記診療データ管理装置に対して患者ＩＤ、診療日および診療科を含む診療データを送信する診療データ処理手段と、
前記診療データ管理装置に対して患者ＩＤを含む受診歴表示要求を送信し、該受診歴表示要求に応答して前記診療データ管理装置から送られてきた受診歴表示データに基づいて、前記表示部に受診歴表示グラフを表示する受診歴処理手段とを備えたことを特徴とする。
【００１５】
本発明にかかる第３の診療データ管理システムは、第２の診療データ管理システムにおいて、
前記表示ルール記憶部が、
非診療日の表示色と、各診療科における診療日の表示色とが格納された表示色記憶部を備え、且つ、
前記受診歴表示データ生成手段が、
前記受診歴表示グラフ中の非診療日に対応する領域の表示形態を、前記表示色記憶部に格納されている非診療日の表示色とし、前記受診歴表示グラフ中の診療日に対応する領域の表示形態を、前記表示色記憶部に格納されている各診療科の表示色の内の、その日に診療を行った診療科の表示色とするための受診歴表示データを生成する構成を有することを特徴とする。
【００１６】
本発明にかかる第４の診療データ管理システムは、第３の診療データ管理システムにおいて、
前記受診歴表示データ生成手段が、
前記受診歴表示グラフ中の、複数の診療科で診療を行った診療日に対応する領域については、その領域が診療を行った各診療科毎の部分領域に分割され、且つ各部分領域の表示色が前記表示色記憶部に格納されている対応する診療科の表示色となる受診歴表示データを生成する構成を有することを特徴とする。
【００１７】
本発明にかかる第５の診療データ管理システムは、第４の診療データ管理システムにおいて、
前記端末装置からの受診歴表示要求が、
患者ＩＤに加えて診療科を特定する診療科特定情報を含み、且つ、
前記受診歴表示データ生成手段が、
前記受診歴表示グラフ中の、前記受診歴表示要求中の診療科特定情報によって特定される診療科を含む複数の診療科で診療を行った診療日に対応する領域については、その領域が診療を受けた診療科の数と同数の部分領域に分割され、且つ、前記各部分領域の内の最も上の部分領域の表示色が、前記表示色記憶部に格納されている各診療科の表示色の内の、前記受診歴表示要求中の診療科特定情報によって特定される診療科の表示色となる受診歴表示データを生成する構成を有することを特徴とする。
【００１８】
本発明にかかる第６の診療データ管理システムは、第５の診療データ管理システムにおいて、
前記診療データ管理装置が、
前記端末装置から患者ＩＤおよび診療科特定情報を含む履歴表示要求が送られてきたとき、前記履歴情報記憶部に格納されている履歴情報の内の、前記履歴表示要求中の患者ＩＤによって特定される患者の各診療科の履歴情報に基づいて、前記患者が何れかの診療科において診療を受けた、現時点に近い方から所定個数の診療日と、その診療日において診療を行った診療科とをテキスト表示するための直近受診歴表示データを生成し、該生成した直近受診歴表示データを要求元の端末装置へ送信する直近受診歴表示データ生成手段を備え、
前記受診歴処理手段が、
前記診療データ管理装置から送られてきた直近受診歴表示データに基づいて、前記表示部に、診療日とその診療日において診療を行った診療科とをテキスト表示する構成を有することを特徴とする。
【００１９】
本発明にかかる第７の診療データ管理システムは、第６の診療データ管理システムにおいて、
前記履歴情報記憶部には、患者ＩＤと、前記所定期間における前記患者ＩＤによって特定される患者の手術日を示す手術日特定情報を含む手術履歴情報が格納され、
前記履歴情報格納手段が、前記履歴情報記憶部に格納されている手術履歴情報の内の、前記端末装置から送られてきた、手術日を含む診療データ中の患者ＩＤによって特定される手術履歴情報を対象にして、該手術履歴情報中の手術日特定情報に前記診療データ中の手術日を追加する構成を有し、
前記受診歴表示データ生成手段が、前記端末装置から患者ＩＤを含む受診歴表示要求が送られてきたとき、前記履歴情報記憶部に格納されている手術履歴情報の内の、前記受診歴表示要求中の患者ＩＤによって特定される患者の手術履歴情報に基づいて、前記受診歴表示グラフに対応付けて手術日を表示するための手術日表示データを生成し、該生成した手術日表示データを前記受診歴表示要求の要求元の端末装置へ送信する構成を有し、
前記診療データ処理手段が、前記診療データ管理装置に対して患者ＩＤおよび手術日を含む診療データを送信する構成を有し、
前記受診歴処理手段が、前記手術日表示データに基づいて、前記受診歴表示グラフに対応付けて手術日を表示する構成を有することを特徴とする。
【００２０】
本発明にかかる第８の診療データ管理システムは、第７の診療データ管理システムにおいて、
前記履歴情報記憶部には、患者ＩＤと、前記所定期間における前記患者ＩＤによって特定される患者の入院期間を示す入院期間特定情報とを含む入院履歴情報が格納され、
前記履歴情報格納手段が、前記端末装置から送られてきた入院日或いは退院日を含む診療データ中の患者ＩＤによって特定される入院履歴情報中の入院期間特定情報を、前記入院日或いは退院日に基づいて更新する構成を有し、
前記受診歴表示データ生成手段が、前記端末装置から患者ＩＤを含む受診歴表示要求が送られてきたとき、前記履歴情報記憶部に格納されている入院履歴情報の内の、前記受診歴表示要求中の患者ＩＤによって特定される患者の入院履歴情報に基づいて、前記受診歴表示グラフに対応付けて入院期間を表示するための入院期間表示データを生成し、該生成した入院期間表示データを前記受診歴表示要求の要求元の端末装置へ送信する構成を有し、
前記診療データ処理手段が、前記診療データ管理装置に対して患者ＩＤを含み且つ入院日と退院日との内の何れか一方を含む診療データを送信する構成を有し、
前記受診歴処理手段が、前記入院期間表示データに基づいて、前記受診歴表示グラフに対応付けて入院期間を表示する構成を有することを特徴とする。
【００２１】
本発明にかかる第９の診療データ管理システムは、第１〜第６の診療データ管理システムにおいて、
前記診療日特定情報が、前記所定期間における各日を、それぞれ所定ビット数のバイナリコードに対応付けたものであることを特徴とする。
【００２２】
本発明にかかる第１の診療データ管理装置は、
患者ＩＤおよび診療日を含む診療データが格納される診療データ記憶部と、
端末装置から送られてきた診療データを前記診療データ記憶部に格納する診療録情報格納手段と、
患者ＩＤと、所定期間における前記患者ＩＤによって特定される患者の診療日を示す診療日特定情報とを含む履歴情報が格納される履歴情報記憶部と、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段と、
診療日の表示形態および非診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段とを備えたことを特徴とする。
【００２３】
本発明にかかる第２の診療データ管理装置は、
患者ＩＤ、診療日および診療科を含む診療データが格納される診療データ記憶部と、
端末装置から送られてきた診療データを前記診療データ記憶部に格納する診療録情報格納手段と、
患者ＩＤおよび診療科と、所定期間における前記患者ＩＤによって特定される患者の前記診療科での診療日を示す診療日特定情報とを含む履歴情報が格納される履歴情報記憶部と、
該履歴情報記憶部に格納されている履歴情報の内の、前記端末装置から送られてきた診療データ中の患者ＩＤおよび診療科によって特定される履歴情報を対象にして、該履歴情報中の診療日特定情報に、前記診療データ中の診療日を追加する履歴情報格納手段と、
非診療日の表示形態および各診療科における診療日の表示形態が格納された表示ルール記憶部と、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段とを備えたことを特徴とする。
【００２４】
本発明にかかる第３の診療データ管理装置は、第２の診療データ管理装置において、
前記表示ルール記憶部が、
非診療日の表示色と、各診療科における診療日の表示色とが格納された表示色記憶部を備え、且つ、
前記受診歴表示データ生成手段が、
前記受診歴表示グラフ中の非診療日に対応する領域の表示形態を、前記表示色記憶部に格納されている非診療日の表示色とし、前記受診歴表示グラフ中の診療日に対応する領域の表示形態を、前記表示色記憶部に格納されている各診療科の表示色の内の、その日に診療を行った診療科の表示色とするための受診歴表示データを生成する構成を有することを特徴とする。
【００２５】
本発明にかかる第４の診療データ管理装置は、第３の診療データ管理装置において、
前記受診歴表示データ生成手段が、
前記受診歴表示グラフ中の、複数の診療科で診療を行った診療日に対応する領域については、その領域が診療を行った各診療科毎の部分領域に分割され、且つ各部分領域の表示色が前記表示色記憶部に格納されている対応する診療科の表示色となる受診歴表示データを生成する構成を有することを特徴とする。
【００２６】
本発明にかかる第５の診療データ管理装置は、第４の診療データ管理装置において、
前記端末装置からの受診歴表示要求が、
患者ＩＤに加えて診療科を特定する診療科特定情報を含み、且つ、
前記受診歴表示データ生成手段が、
前記受診歴表示グラフ中の、前記受診歴表示要求中の診療科特定情報によって特定される診療科を含む複数の診療科で診療を行った診療日に対応する領域については、その領域が診療を受けた診療科の数と同数の部分領域に分割され、且つ、前記各部分領域の内の最も上の部分領域の表示色が、前記表示色記憶部に格納されている各診療科の表示色の内の、前記受診歴表示要求中の診療科特定情報によって特定される診療科の表示色となる受診歴表示データを生成する構成を有することを特徴とする。
【００２７】
本発明にかかる第６の診療データ管理装置は、第５の診療データ管理装置において、
前記診療データ管理装置が、
前記端末装置から患者ＩＤおよび診療科特定情報を含む履歴表示要求が送られてきたとき、前記履歴情報記憶部に格納されている履歴情報の内の、前記履歴表示要求中の患者ＩＤによって特定される患者の各診療科の履歴情報に基づいて、前記患者が何れかの診療科において診療を受けた、現時点に近い方から所定個数の診療日と、その診療日において診療を行った診療科とをテキスト表示するための直近受診歴表示データを生成し、該生成した直近受診歴表示データを要求元の端末装置へ送信する直近受診歴表示データ生成手段を備えたことを特徴とする。
【００２８】
本発明にかかる第７の診療データ管理装置は、第６の診療データ管理装置において、
前記履歴情報記憶部には、患者ＩＤと、前記所定期間における前記患者ＩＤによって特定される患者の手術日を示す手術日特定情報を含む手術履歴情報が格納され、
前記履歴情報格納手段が、前記履歴情報記憶部に格納されている手術履歴情報の内の、前記端末装置から送られてきた、手術日を含む診療データ中の患者ＩＤによって特定される手術履歴情報を対象にして、該手術履歴情報中の手術日特定情報に、前記診療データ中の手術日を追加する構成を有し、
前記受診歴表示データ生成手段が、前記端末装置から患者ＩＤを含む受診歴表示要求が送られてきたとき、前記履歴情報記憶部に格納されている手術履歴情報の内の、前記受診歴表示要求中の患者ＩＤによって特定される患者の手術履歴情報に基づいて、前記受診歴表示グラフに対応付けて手術日を表示するための手術日表示データを生成し、該生成した手術日表示データを前記受診歴表示要求の要求元の端末装置へ送信する構成を有することを特徴とする。
【００２９】
本発明にかかる第８の診療データ管理装置は、第７の診療データ管理装置において、
前記履歴情報記憶部には、患者ＩＤと、前記所定期間における前記患者ＩＤによって特定される患者の入院期間を示す入院期間特定情報とを含む入院履歴情報が格納され、
前記履歴情報格納手段が、前記端末装置から送られてきた入院日或いは退院日を含む診療データ中の患者ＩＤによって特定される入院履歴情報中の入院期間特定情報を、前記入院日或いは退院日に基づいて更新する構成を有し、
前記受診歴表示データ生成手段が、前記端末装置から患者ＩＤを含む受診歴表示要求が送られてきたとき、前記履歴情報記憶部に格納されている入院履歴情報の内の、前記受診歴表示要求中の患者ＩＤによって特定される患者の入院履歴情報に基づいて、前記受診歴表示グラフに対応付けて入院期間を表示するための入院期間表示データを生成し、該生成した入院期間表示データを前記受診歴表示要求の要求元の端末装置へ送信する構成を有することを特徴とする。
【００３０】
本発明にかかる第９の診療データ管理装置は、第１〜第５の診療データ管理装置において、
前記診療日特定情報が、前記所定期間における各日を、それぞれ所定ビット数のバイナリコードに対応付けたものであることを特徴とする。
【００３１】
本発明にかかる第１の受診歴表示方法は、
患者ＩＤおよび診療日を含む診療データが格納される診療データ記憶部と、患者ＩＤと、所定期間における前記患者ＩＤによって特定される患者の診療日を示す診療日特定情報とを含む履歴情報が格納される履歴情報記憶部と、診療日の表示形態および非診療日の表示形態が格納された表示ルール記憶部とを有する診療データ管理装置が、
端末装置から送られてきた診療データを前記診療データ記憶部に格納する診療録情報格納ステップと、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納ステップと、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成ステップとを実行し、
表示部を有する端末装置が、
前記診療データ管理装置に対して患者ＩＤおよび診療日を含む診療データを送信する診療データ処理ステップと、
前記診療データ管理装置に対して患者ＩＤを含む受診歴表示要求を送信する受診歴表示要求送信ステップと、
前記受診歴表示要求に応答して前記診療データ管理装置から送られてきた受診歴表示データに基づいて、前記表示部に受診歴表示グラフを表示する受診歴処理ステップとを実行することを特徴とする。
【００３２】
本発明にかかる第２の受診歴表示方法は、
患者ＩＤ、診療日および診療科を含む診療データが格納される診療データ記憶部と、患者ＩＤおよび診療科と、所定期間における前記患者ＩＤによって特定される患者の前記診療科での診療日を示す診療日特定情報とを含む履歴情報が格納される履歴情報記憶部と、非診療日の表示形態および各診療科における診療日の表示形態が格納された表示ルール記憶部とを有する診療データ管理装置が、
端末装置から送られてきた診療データを前記診療データ記憶部に格納する診療録情報格納ステップと、
前記履歴情報記憶部に格納されている履歴情報の内の、前記端末装置から送られてきた診療データ中の患者ＩＤおよび診療科によって特定される履歴情報を対象にして、該履歴情報中の診療日特定情報に前記診療データ中の診療日を追加する履歴情報格納ステップと、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成ステップとを実行し、
表示部を有する端末装置が、
前記診療データ管理装置に対して患者ＩＤ、診療日および診療科を含む診療データを送信する診療データ処理ステップと、
前記診療データ管理装置に対して患者ＩＤを含む受診歴表示要求を送信する受診歴表示要求送信ステップと、
前記受診歴表示要求に応答して前記診療データ管理装置から送られてきた受診歴表示データに基づいて、前記表示部に受診歴表示グラフを表示する受診歴処理ステップとを実行することを特徴とする。
【００３３】
本発明にかかる第１のプログラムは、
患者ＩＤおよび診療日を含む診療データが格納される診療データ記憶部と、患者ＩＤと、所定期間における前記患者ＩＤによって特定される患者の診療日を示す診療日特定情報とを含む履歴情報が格納される履歴情報記憶部と、診療日の表示形態および非診療日の表示形態が格納された表示ルール記憶部とを有するコンピュータを、
端末装置から送られてきた診療データを前記診療データ記憶部に格納する診療録情報格納手段、
該履歴情報記憶部に格納されている履歴情報の内の、前記端末装置から送られてきた診療データ中の患者ＩＤによって特定される履歴情報を対象にして、該履歴情報中の診療日特定情報に前記診療データ中の診療日を追加する履歴情報格納手段、
前記端末装置から患者ＩＤを含む受診歴表示要求が送られてきたとき、前記履歴情報記憶部に格納されている履歴情報の内の、前記受診歴表示要求中の患者ＩＤによって特定される患者の履歴情報に基づいて、１日を単位長とした前記所定期間分の帯状の受診歴表示グラフであって、診療日および非診療日に対応する領域の表示形態をそれぞれ前記表示ルール記憶部に格納されている診療日および非診療日の表示形態とした受診歴表示グラフを表示するための受診歴表示データを生成し、該生成した受診歴表示データを前記受診歴表示要求の要求元の端末装置へ送信する受診歴表示データ生成手段として機能させる。
【００３４】
本発明にかかる第２のプログラムは、
患者ＩＤ、診療日および診療科を含む診療データが格納される診療データ記憶部と、患者ＩＤおよび診療科と、所定期間における前記患者ＩＤによって特定される患者の前記診療科での診療日を示す診療日特定情報とを含む履歴情報が格納される履歴情報記憶部と、非診療日の表示形態および各診療科における診療日の表示形態が格納された表示ルール記憶部とを有するコンピュータを、
端末装置から送られてきた診療データを前記診療データ記憶部に格納する診療録情報格納手段、
該履歴情報記憶部に格納されている履歴情報の内の、前記端末装置から送られてきた診療データ中の患者ＩＤおよび診療科によって特定される履歴情報を対象にして、該履歴情報中の診療日特定情報に前記診療データ中の診療日を追加する履歴情報格納手段、
前記端末装置から患者ＩＤを含む受診歴表示要求が送られてきたとき、前記履歴情報記憶部に格納されている履歴情報の内の、前記受診歴表示要求中の患者ＩＤによって特定される患者の各診療科の履歴情報に基づいて、１日を単位長とした前記所定期間分の帯状の受診歴表示グラフであって、非診療日に対応する領域の表示形態を前記表示ルール記憶部に格納されている非診療日の表示形態とし、診療日に対応する領域の表示形態を前記表示ルール記憶部に格納されている各診療科の表示形態の内の、その日に診療を受けた診療科の表示形態とした受診歴表示グラフを表示するための受診歴表示データを生成し、該生成した受診歴表示データを前記受診歴表示要求の要求元の端末装置へ送信する受診歴表示データ生成手段として機能させる。
【００３５】
〔作用〕
端末装置から患者ＩＤおよび診療日を含む診療データが送られてくると、診療データ管理装置内の診療録情報格納手段は、上記診療データを診療データ記憶部に格納し、履歴情報格納手段は、履歴情報記憶部に格納されている上記患者ＩＤによって特定される履歴情報中の診療日特定情報に、診療日を追加する。また、端末装置から患者ＩＤを含む受診歴表示要求が送られてくると、診療データ管理装置内の受診歴表示データ生成手段は、履歴情報記憶部に格納されている該当する患者の履歴情報に基づいて、１日を単位長とした所定期間分の帯状の受診歴表示グラフであって、非診療日に対応する領域の表示形態を表示ルール記憶部に格納されている非診療日の表示形態（例えば、所定の色）とし、診療日に対応する領域の表示形態を表示ルール記憶部に格納されている診療日の表示形態（例えば、非診療日と異なる色）とした受診歴表示グラフを表示するための受診歴表示データを生成する。その後、生成した受診歴表示データを要求元の端末装置へ送信する。端末装置内の受診歴処理手段は、診療データ管理装置から受診歴表示データが送られてくると、それに基づいて表示部に受診歴表示グラフを表示する。
【発明の効果】
【００３６】
本発明によれば、医師が直感的に、患者の診療時期を示す受診歴を把握することが可能になる。患者の診療時期を示す受診歴は、例えば、最後に来院してから期間が経過した患者や、数ヶ月に１回などの間隔で来院する患者に対する過去の記憶を呼び起こすために役に立つ情報であり、このような情報を医師が直感的に把握できるようになると、診療時間の短縮を図ることが可能になる。医師が直感的に、患者の診療時期を示す受診歴を把握できる理由は、１日を単位長とした所定期間分の帯状の受診歴表示グラフであって、非診療日に対応する領域の表示形態を表示ルール記憶部に格納されている非診療日の表示形態とし、診療日に対応する領域の表示形態を上記表示ルール記憶部に格納されている診療日の表示形態とした、視覚的に認識可能な受診歴表示グラフを、医師が操作する端末装置の表示部に表示するようにしているからである。
【発明を実施するための最良の形態】
【００３７】
次に本発明の実施の形態について図面を参照して詳細に説明する。
【００３８】
〔実施の形態の構成の説明〕
図１は本発明にかかる診療データ管理システムの実施の形態の全体構成例を示すブロック図であり、診療データ管理装置１、複数台の端末装置２−１〜２−ｎから構成され、それらはＬＡＮ等のネットワーク３を介して相互に接続されている。
【００３９】
診療データ管理装置１は、各端末装置２−１〜２−ｎから送られている診療データを管理する機能や、各端末装置２−１〜２−ｎから送られてくる受診履歴表示要求に応答して、該当する患者の受診歴を視覚的に表した受診歴表示グラフを表示するための受診歴表示データを生成し、要求元の端末装置へ送信する機能などを有する。
【００４０】
図２は、診療データ管理装置１の構成例を示すブロック図であり、送受信手段１１と、診療録情報格納手段１２と、履歴情報格納手段１３と、検索手段１４と、受診歴表示データ生成手段１５と、直近受診歴表示データ生成手段１６と、表示ルール設定手段１７と、記憶装置１８と、キーボード等の入力部１９と、ＬＣＤ等の表示部２０とを備えている。
【００４１】
記憶装置１８は、磁気ディスク装置，光ディスク装置，その他の記憶装置によって実現されるものであり、診療録情報記憶部181と、履歴情報記憶部182と、表示ルール記憶部183とを備えている。
【００４２】
診療録情報記憶部181は、診療データ記憶部1811と、入院データ記憶部1812とを含んでいる。
【００４３】
診療データ記憶部1811には、診療データと、イベントデータとが格納される。図３は診療データ記憶部1811の内容例を示す図であり、同図を参照すると、診療データ及びイベントデータは、プライマリキー（ＰＫ），行為，患者ＩＤ，科（診療科）、診療日時及び操作内容の各項目から構成されている。
【００４４】
項目「プライマリキー」には、診療データ及びイベントデータを一意に識別するためのキーが設定される。項目「行為」には、診療行為あるいは診療データに対して行った操作内容の種別が設定される。診療データにおいては、この項目「行為」に、処方，注射，手術などの診療行為が設定され、イベントデータにおいては、削除，修正，取り消し等の、診療データに対して行った操作内容の種別が設定される。
【００４５】
項目「患者ＩＤ」には、患者を一意に識別するための患者ＩＤが設定される。項目「科」には、診療を行った診療科が設定される。項目「診療日時」には、診療を行った日時が設定される。項目「操作内容」には、診療データに対して行った具体的な操作内容が設定される。尚、この項目「操作内容」は、イベントデータにおいてのみ意味を持つものであり、診療データの項目「操作内容」は空白になっている。
【００４６】
入院データ記憶部1812には、入院データが格納される。図４は入院データ記憶部1812の内容例を示す図であり、同図を参照すると、入院データは、患者ＩＤ，科（診療科），開始日および終了日の各項目から構成される。
【００４７】
項目「患者ＩＤ」には、患者を一意に識別する患者ＩＤが設定される。項目「科」には、患者が入院した診療科が設定される。項目「開始日」には、入院開始日が設定され、項目「終了日」には退院日が設定される。但し、入院中の場合には、項目「終了日」には、「入院中」が設定される。
【００４８】
履歴情報記憶部182には、患者の受診履歴，入退院履歴，手術履歴を示す履歴情報が格納される。尚、以下の説明では、受診履歴，入退院履歴，手術履歴を示す履歴情報を受診レコード，入退院レコード，手術レコードと呼ぶ場合がある。図５は履歴情報記憶部182の内容例を示す図であり、同図を参照すると、履歴情報は、患者ＩＤ，科（診療科），区分（診療区分），開始日および診療数の各項目から構成されている。尚、入退院レコードおよび手術レコードには、項目「科」は設定されない。即ち、受診レコード（区分が診療となっているレコード）は、患者が診療を受けた診療科毎に存在するが、入退院レコード（区分が入退院となっているレコード）および手術レコード（区分が手術となっているレコード）は、１人の患者に各診療科共通で１つしか存在しない。
【００４９】
項目「患者ＩＤ」には、患者を一意に識別するための患者ＩＤが設定される。項目「科」には、患者が診療を受けている診療科が設定される。項目「区分」には、診療，手術，入退院などの医療区分が設定される。項目「開始日」には、履歴情報の開始日が設定される。本実施の形態では、１つの履歴情報（１レコード）は、１年分の履歴を示すものとする。また、開始日は、本年度の１月１日とする。項目「診療数」には、１日を１Byte（８bit）に対応付けた366Byte構成のデータが設定される。各Byteには、対応する日に行われた診療行為の数が設定される。
【００５０】
表示ルール記憶部183は、表示色記憶部1831と、表示順記憶部1832と、直近表示数記憶部1833とを備えている。表示色記憶部1831には、受診歴表示グラフにおいて使用する各診療科の表示色と、非診療日の表示色とが設定される。図６に表示色記憶部1831の内容例を示す。表示順記憶部1832には、同日に複数の診療科で診療が行われた場合に、どのような順番で表示を行うのかを示す表示順が格納される。図７に表示順記憶部1832の内容例を示す。直近表示数記憶部1833には、後述する直近詳細に含ませるデータ数が設定される。
【００５１】
送受信手段１１は、ネットワーク３を介してデータ等を送受信する機能を有する。
【００５２】
診療録情報格納手段１２は、ネットワーク３を介して各端末装置２−１〜２−ｎから送られてきた診療データおよびイベントデータを診療録情報記憶部181に格納する機能を有する。尚、診療データが入院に関するものである場合には、その診療データに対応する入院データを入院データ記憶部1812に格納し、診療データが退院に関するものである場合には、入院データ記憶部1812に格納されている該当する入院データの終了日に退院日を設定する。また、イベントデータおよび診療データの内の入退院に関するもの以外は、診療データ記憶部1811に格納する。
【００５３】
履歴情報格納手段１３は、診療録情報格納手段１２が診療録情報記憶部181に診療データ，イベントデータを格納する毎に、その診療データ，イベントデータに基づいて、履歴情報記憶部182に新たな履歴情報を格納したり、既に格納されている該当する履歴情報中の診療数を更新する機能を有する。
【００５４】
検索手段１４は、ネットワーク３を介して各端末装置２−１〜２−ｎから検索要求が送られてきたとき、それに含まれている検索条件に従って診療録記憶部181を検索し、検索結果を要求元の端末装置に返却する機能を有する。
【００５５】
受診歴表示データ生成手段１５は、ネットワーク３を介して端末装置２−１〜２−ｎから患者ＩＤを含む受診歴表示要求が送られてきたとき、履歴情報記憶部182に格納されている上記患者ＩＤによって特定される患者の履歴情報に基づいて、図８（Ｂ）に示すような、１年分の受診歴を示す受診歴表示グラフ８１を表示させるための受診歴表示データや、受診歴表示グラフ８１に対応付けて手術日８３や入院期間８４を表示させるための表示データを生成し、それらを要求元の端末装置に返却する機能や、直近受診歴表示データ生成手段１６が生成した直近受診歴表示データを要求元に返却する機能を有する。尚、図８（Ｂ）に示した受診歴表示グラフ８１は、図８（Ａ）に示した診療データに対応するものである。
【００５６】
直近受診歴表示データ生成手段１６は、ネットワーク３を介して端末装置２−１〜２−ｎから患者ＩＤを含む受診歴表示要求が送られてきたとき、履歴情報記憶部182に格納されている上記患者ＩＤによって特定される患者の履歴情報に基づいて、図８（Ｂ）に示すような、直近詳細８２（現時点に近い方から所定個数の診療日および診療科を含む）をテキスト表示させるための直近受診歴表示データを生成する機能を有する。
【００５７】
表示ルール設定手段１７は、利用者が入力部１９から入力した設定指示に従って、表示色記憶部1831に各診療科の表示色および非診療日の表示色を設定する機能や、表示順記憶部1832に各診療科の優先順位を設定する機能や、直近表示数記憶部1833に直近表示数を設定する機能を有する。
【００５８】
尚、診療データ管理装置１は、コンピュータによって実現可能なものであり、コンピュータによって実現する場合には、例えば、次のようにする。コンピュータを診療データ管理装置１として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段１１，診療録情報格納手段１２，履歴情報格納手段１３，検索手段１４，受診歴表示データ生成手段１５，直近受診歴表示データ生成手段１６，表示ルール設定手段１７を実現する。
【００５９】
端末装置２−１〜２−ｎは、医師が操作するパーソナルコンピュータ等により実現されるものであり、医師が入力した診療データを診療データ管理装置１へ送信する機能や、診療データ管理装置１に対して検索要求を送り、この検索要求に応答して診療データ管理装置１から返却された検索結果を表示する機能や、診療データ管理装置１に対して受診歴表示要求を送り、この受診歴表示要求に応答して診療データ管理装置１から返却された受診歴表示データ，直近受診歴表示データに従って受診歴表示グラフや直近詳細を表示する機能を有する。
【００６０】
図９は、端末装置２−１の構成例を示すブロック図であり、送受信手段２１と、診療データ処理手段２２と、受診歴処理手段２３と、キーボード等の入力部２４と、ＬＣＤ等の表示部２５とを備えている。尚、他の端末装置も同様の構成を有している。
【００６１】
送受信手段２１は、ネットワーク３を介してデータ等を送受信する機能を有する。
【００６２】
診療データ処理手段２２は、医師が入力部２４から入力した診療データおよびイベントデータを診療データ管理装置１へ送信する機能や、医師が入力部２４から入力した検索要求を診療データ管理装置１へ送信し、この検索要求に応答して診療データ管理装置１から返却された検索結果を表示部２５に表示する機能を有する。
【００６３】
受診歴処理手段２３は、医師が入力部２４から入力した受診歴表示要求を診療データ管理装置１へ送信し、この受診歴表示要求に応答して診療データ管理装置１から返却された受診歴表示データ，直近受診歴表示データに基づいて受診歴表示グラフ，直近詳細を表示部２５に表示する機能を有する。
【００６４】
尚、端末装置２−１をコンピュータによって実現する場合は、例えば、コンピュータ上に送受信手段２１，診療データ処理手段２２，受診歴処理手段２３を実現するためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段２１，診療データ処理手段２２，受診歴処理手段２３を実現する。
【００６５】
〔実施の形態の動作の説明〕
次に、本実施の形態の動作について詳細に説明する。
【００６６】
先ず、診療データ登録時の端末装置側の動作について説明する。医師は、診療データを診療データ管理装置１に登録する際、自身の端末装置２−ｊ（１≦ｊ≦ｎ）の入力部２４から診療データ入力画面表示指示を入力する。これにより、診療データ処理手段２２は、図１０に示すような診療データ入力画面100を表示部２５に表示する（図１１のステップＳ111）。診断データ入力画面100には、プライマリキー（ＰＫ），行為，患者ＩＤ，科（診療科），診療日時の入力欄と、送信ボタンとが設けられている。尚、本実施の形態では、科の入力欄には端末装置２−ｊが設置されている診療科を示す情報が予め設定され、また、診療日時の入力欄には、現在日時が表示されているとするが、医師が入力部２４から入力するようにしても良い。
【００６７】
医師は、診療データ入力画面100が表示されると、各入力欄に必要事項を入力する（ステップＳ112）。例えば、患者ＩＤ「00000001」の患者に対して「処方」を行った場合には、行為に入力欄に「処方」を入力し、患者ＩＤの入力欄に「00000001」を入力する。また、例えば、患者ＩＤ「00000007」の患者を入院させる場合には、行為の入力欄に「入院」を入力し、患者ＩＤの入力欄に「00000007」を入力する。また、例えば、患者ＩＤ「00000007」の患者を退院させる場合には、行為の入力欄に「退院」を入力し、患者ＩＤの入力欄に「00000007」を入力する。尚、診療データ処理手段２２は、医師が１つ診療データを入力する毎に、プライマリキーを生成し、該当するプライマリキーの入力欄に、生成したプライマリキーを入力する。医師は、必要なデータを全て入力すると、送信ボタンを操作する。これにより、診療データ処理手段２２は、診断データ入力画面100上に入力された診断データを診療データ管理装置１へ送信する（ステップＳ113）。
【００６８】
次に、イベントデータ登録時の端末装置側の動作を説明する。医師は、診療データ管理装置１に登録されている或る患者の診療データを更新（削除，修正など）する場合、上記患者の患者ＩＤ（例えば「00000001」とする）と、自身が所属している診療科（例えば、内科とする）とを含む検索要求を入力部２４から入力する。これにより、診療データ処理手段２２は、検索要求を診療データ管理装置１へ送信する（図１２のステップＳ121）。
【００６９】
診療データ管理装置１内の検索手段１４は、端末装置２−ｊから検索要求が送られてくると、それに含まれている患者ＩＤ「00000001」および診療科「内科」をキーにして診療データ記憶部1811を検索し、診療日が新しい方から所定個数の診療データを取得する。その後、検索手段１４は、検索した診療データを要求元の端末装置２−ｊへ返信する。
【００７０】
端末装置２−ｊ内の診療データ処理手段２２は、診療データ管理装置１から送られてきた診療データを表示部２５に表示する（ステップＳ122）。医師は、入力部２４を用いて診療データに対する更新操作を行い（ステップＳ123）、診療データ処理手段２２は、医師が行った更新操作に応じたイベントデータおよび診療データを生成し、診療データ管理装置１へ送信する（ステップＳ124）。
【００７１】
上記した処理を詳しく説明すると、次のようになる。今、例えば、図１３（Ａ）に示すように、2003年７月10日の診療データと、７月１１日の診療データが表示部２５に表示されているとする。このとき、医師が入力部２４から削除指示を入力し、図１３（Ｂ）に示すように、診療データ「処方」を削除したとすると、診療データ処理手段２２は、プライマリキー、行為「削除」、患者ＩＤ「00000001」、科「内科」、診療日時「現在日時」および操作内容「処方を削除（ＩＤ；ＡＡＡ）」を含むイベントデータを生成し、診療データ管理装置１へ送信する。尚、ＩＤ；ＡＡＡは、削除した診療データのプライマリキーである。また、例えば、医師が、入力部２４から修正指示を入力し、図１３（Ｃ）に示すように、７月１１日の診療データ「処方」を７月１２日の診療データに修正した場合には、プライマリキー、行為「修正」、患者ＩＤ「00000001」、科「内科」、診療日時「現在日時」および操作内容「処方を修正（ＩＤ；ＡＡＣ→ＡＡＦ）を含むイベントデータと、プライマリキー、行為「処方」、患者ＩＤ「00000001」および診療日時「現在日時」を含む診療データを生成し、診療データ管理装置１へ送信する。
【００７２】
次に、診療データ，イベントデータの登録時の診療データ管理装置１側の動作について説明する。
【００７３】
診療データ管理装置１内の送受信手段１１は、ネットワーク３を介して端末装置２−ｊから診療データあるいはイベントデータが送られてくると、それを診療録情報格納手段１２に渡す。
【００７４】
診療録情報格納手段１２は、イベントデータが渡された場合（図１４のステップＳ141がＮＯ）は、そのイベントデータを診療データ記憶部1811に格納した後（ステップＳ144）、履歴情報格納手段１３に渡す（ステップＳ147）。尚、イベントデータであるか否かは、項目「行為」の内容あるいは操作内容が設定されているか否かに基づいて判断することができる。
【００７５】
これに対して、送受信手段１１から診療データが渡された場合（ステップＳ141がＹＥＳ）は、項目「行為」の内容が「入院」になっているか否かを調べる（ステップＳ142）。そして、「入院」になっている場合（ステップＳ142がＹＥＳ）は、入院データ記憶部1812に、上記診療データに対応した入院データを格納した後（ステップＳ145）、上記入院データを履歴情報格納手段１３に渡す（ステップＳ147）。尚、例えば、上記診療データ中の患者ＩＤ，科，診療日時がそれぞれ「00000001」，「内科」，「2004年12月２日」であれば、診療録情報格納手段１２は、患者ＩＤ，科，開始日（入院日），終了日（退院日）の内容をそれぞれ「00000001」，「内科」，「2004年12月２日」，「入院中」にした入院データを生成し、入院データ記憶部1812に登録する（図４参照）。
【００７６】
また、「退院」になっている場合（ステップＳ143がＹＥＳ）は、入院データ記憶部1812に登録されている該当する入院データ中の終了日を「入院中」から診療データ中の「診療日時」に変更した後（ステップＳ146）、変更後の入院データを履歴情報格納手段１３に渡す。また、項目が「入院」，「退院」の何れでもない場合（ステップＳ143がＮＯ）は、診療データを診療データ記憶部1811に格納した後（ステップＳ144）、履歴情報格納手段１３に渡す（ステップＳ147）。
【００７７】
履歴情報格納手段１３は、診療録情報格納手段１２から診療データ、イベントデータあるいは入院データが渡されると、図１５，図１６のフローチャートに示す処理を行う。
【００７８】
履歴情報格納手段１３は、診療録情報格納手段１２から入院データが渡された場合（ステップＳ1501がＹＥＳ）は、図１６のフローチャートに示す入退院レコード登録処理を行う（ステップＳ1502）。この入退院レコード登録処理は、後で詳しく説明する。
【００７９】
また、診療録情報格納手段１２からイベントデータが渡された場合（ステップＳ1501がＮＯ，Ｓ1503がＹＥＳ）は、このイベントデータが削除あるいは修正対象にしている診療データが手術に関するものであるか否かを調べる（ステップＳ1504）。尚、イベントデータが削除あるいは修正対象にしている診療データは、イベントデータ中の項目「操作内容」に設定されているプライマリキー（図３のＡＡＡやＡＡＣ等）により特定することができる。また、修正あるいは削除対象にしている診療データが、手術に関するものであるか否かは、診療データ記憶部1811に格納されている、上記プライマリキーによって特定される診療データ中の項目「行為」の内容が「手術」であるか否かに基づいて判定することができる。
【００８０】
そして、削除あるいは修正対象にしている診療データが、手術に関する診療データであると判断した場合（ステップＳ1504がＹＥＳ）は、ステップＳ1506の処理を行う。ステップＳ1506では、先ず、履歴情報記憶部182に格納されている手術レコードであってその患者ＩＤ，開始日の年度が、イベントデータ中の患者ＩＤ，診療日時の年度と一致する手術レコードを履歴情報記憶部182から検索する。その後、検索した手術レコード中の各日付けに対応する診療数の内の、イベントデータ中の診療日時に対応する日の診療数をデクリメント（−１）する。例えば、イベントデータ中の診療日時が１月２日であれば、診療数の２Byte目を−１する。
【００８１】
これに対して、削除あるいは修正対象にしている診療データが、手術に関する診療データでないと判断した場合（ステップＳ1504がＮＯ）は、ステップＳ1505の処理を行う。ステップＳ1505では、先ず、履歴情報記憶部182中の受診レコードであってその患者ＩＤ，科，開始日の年度が、イベントデータ中の患者ＩＤ，科，診療日時の年度と一致する受診レコード（区分が診療となっているレコード）を履歴情報記憶部182から検索する。その後、検索した受診レコード中の各日付けに対応する診療数の内の、イベントデータ中の診療日時に対応する日の診療数を−１する。
【００８２】
また、診療録情報格納手段１２から診療データが渡された場合（ステップＳ1501がＮＯ，Ｓ1503がＮＯ）は、上記診療データが手術に関するものであるか否かを、その項目「行為」の内容に基づいて判断する（ステップＳ1507）。
【００８３】
そして、手術に関連する診療データであると判断した場合（ステップＳ1507がＹＥＳ）は、患者ＩＤ，開始日の年度が上記診療データ中の患者ＩＤ，診療日時の年度と一致する手術レコードが履歴情報記憶部182に格納されているか否かを調べる（ステップＳ1508）。即ち、上記患者ＩＤによって特定される患者の、本年度用の手術レコードが履歴情報記憶部182に格納されているか否かを調べる。そして、該当する患者の手術レコードが履歴情報記憶部182に格納されている場合（ステップＳ1508がＹＥＳ）は、該当する患者の手術レコード中の各日付けに対応する診療数の内の、診療データ中の診療日時に対応する日の診療数を＋１する（ステップＳ1510）。これに対して、該当する患者の手術レコードが存在しない場合には、上記患者用の手術レコードを生成し、生成した手術レコードを履歴情報記憶部182に格納した後（ステップＳ1509）、ステップＳ1510の処理を行う。尚、ステップＳ1509で手術レコードを生成する場合、手術レコードの各項目の値は次のようにする。患者ＩＤは、診療データ中の患者ＩＤとする。科には値を設定しない。区分には手術を設定する。開始日には、本年度の１月１日を設定する。診療数には、366Byteオール零を設定する。
【００８４】
これに対して、手術に関連しない診療データであると判断した場合（ステップＳ1507がＮＯ）は、患者ＩＤ，科，開始日の年度が上記診療データ中の患者ＩＤ，科，診療日時の年度と一致する受診レコードが履歴情報記憶部182に格納されているか否かを調べる（ステップＳ1511）。そして、そのような受診レコードが存在する場合は、その受診レコード中の各日付けに対応する診療数の内の、診療データ中の診療日時に対応する日の診療数をインクリメント（＋１）する（ステップＳ1513）。一方、そのような受診レコードが存在しない場合には、患者ＩＤ，科を診療データ中の患者ＩＤ，科と同じ値とし、区分を診療とし、開始日を本年度の１月１日とし、診療数を366Byteオール零にした受診レコードを生成した後、ステップＳ1513の処理を行う。
【００８５】
次に、診療録情報格納手段１２から入院データが渡された場合（ステップＳ1501がＹＥＳ）に行われる入退院レコード登録処理を、図１６を参照して説明する。
【００８６】
履歴情報格納手段１３は、診療録情報格納手段１２から入院データが渡されると、その入院データ中の項目「終了日」に退院日が設定されているか否かを調べる（ステップＳ161）。そして、退院日が設定されていない場合は（ステップＳ161がＮＯ）は、患者ＩＤ，開始日の年度が、入院データ中の患者ＩＤ，開始日の年度と一致する入退院レコード（区分が入退院になっているレコード）を履歴情報記憶部182から検索する（ステップＳ162）。そして、該当する入退院レコードを検索できた場合（ステップＳ162がＹＥＳ）は、検索した入退院レコードの各日付けに対応する診療数の内の、入院データ中の開始日に対応する診療数（Binary Code)の値を0x01にする（ステップＳ164）。これに対して、該当する入退院レコードを検索できなかった場合（ステップＳ162がＮＯ）は、患者ＩＤを入院データ中の患者ＩＤと同じ値とし、科を空白とし、区分を入退院とし、開始日を本年度の１月１日とし、診療数を366Byteオール零にした入退院レコードを生成し（ステップＳ163）、その後、ステップＳ164の処理を行う。
【００８７】
一方、診療録情報格納手段１２から渡された入院データ中の項目「終了日」に退院日が設定されている場合（ステップＳ161がＹＥＳ）は、患者ＩＤ，開始日の年度が、上記入院データ中の患者ＩＤ，開始日の年度と一致する入退院レコードを履歴情報記憶部182から検索し、検索した入退院レコード中の各日付けに対応する診療数の内の、入院データ中の開始日から終了日までの各日に対応する診療数の値を0x01にする（ステップＳ165）。
【００８８】
次に、医師が自身の端末装置２−ｊに、図８に示すような受診歴表示グラフ８１，直近詳細８２，手術日８３，入院期間８４を表示させる場合の動作について説明する。
【００８９】
医師は、受診歴表示グラフ等を自身の端末装置２−ｊに表示する場合、入力部２４を操作し、受診歴処理手段２３を起動する。これにより、受診歴処理手段２３は、図１７に示すような受診歴表示要求入力画面170を表示部２５に表示する（図１８のステップＳ181）。この受診歴表示要求入力画面170には、患者ＩＤに入力欄と、科の入力欄と、表示年度の入力欄と、送信ボタンとが設けられている。
【００９０】
医師は、受診歴表示要求入力画面170が表示されると、各入力欄に必要事項を入力する。患者ＩＤの入力欄には受診歴を見たい患者の患者ＩＤを、科の入力欄には医師が属する診療科を、表示年度の入力欄には受診歴を表示させる年度（複数入力しても良い）を入力する（ステップＳ182）。必要事項を入力すると、医師は、送信ボタンを操作する。これにより、受診歴処理手段２３は、受診歴表示要求入力画面170の各入力欄に入力された患者ＩＤ，科，表示期間を含む受診歴表示要求を生成し、診療データ管理装置１へ送信する。
【００９１】
診療データ管理装置１内の送受信手段１１は、ネットワーク３を介して端末装置２−ｊからの受診歴表示要求を受信すると、それを受診歴表示データ生成手段１５に渡す。これにより、受診歴表示データ生成手段１５は、図１９のフローチャートに示すように、表示ルール記憶部183内の各記憶部1831〜1833の内容を入力する（ステップＳ191）。
【００９２】
その後、受診歴表示データ生成手段１５は、図８に示すような手術日８３を表示させるための表示用HTMLタグを生成する（ステップＳ192）。このステップＳ192の処理を図２０のフローチャートを参照して詳細に説明する。
【００９３】
先ず、受診歴表示データ生成手段１５は、受診歴表示要求中の患者ＩＤによって特定される患者の手術レコードであって、その年度が受診履歴表示要求中の表示年度に対応した手術レコードを全て履歴情報記憶部182から入力する（ステップＳ201）。その後、受診歴表示データ生成手段１５は、入力した各年度分の手術レコードの内の、１年分の手術レコードに注目する（ステップＳ202）。
【００９４】
その後、本年度の何日目であるのかを表す変数ｎの値を「１」にし、注目手術レコード中の第ｎByte目が０であるか否かを調べることにより、第ｎ日目に手術が行われたか否かを判断する（ステップＳ204，Ｓ205）。そして、第ｎ日目に手術が行われたと判断した場合（ステップＳ205がＹＥＳ）は、ｎ日目の表示色を、図２１に示すように手術が行われたことを示す表示色にすることを決定した後、ｎ日目の手術表示用のデータ（HTMLタグ）を生成する（ステップＳ206，Ｓ208）。これに対して、ｎ日目に手術が行われなかったと判断した場合（ステップＳ205がＮＯ）は、ｎ日目の表示色を無色にすることを決定した後、ｎ日目の手術表示用のHTMLタグを生成する（ステップＳ208）。
【００９５】
ステップＳ208の処理が終了すると、受診歴表示データ生成手段１５は、ｎを＋１する（ステップＳ209）。そして、ｎ≠367の場合（ステップＳ210がＮＯ）は、ステップＳ205の処理に戻り、ｎ＝367の場合（ステップＳ210がＹＥＳ）は、現在注目中の１年分の手術レコードについての処理が完了したことになるので、他の年度の手術レコードに注目し、前述した処理と同様の処理を行う。以上の処理を、ステップＳ201で入力した全ての年度の手術レコードに対して行うと（ステップＳ203がＮＯ）、受診歴表示データ生成手段１５は、受診歴表示グラフを表示させるためのHTMLタグ生成処理を行う（図１９のステップＳ193）。このステップＳ193の処理を図２２のフローチャートを参照して説明する。
【００９６】
先ず、受診歴表示データ生成手段１５は、受診歴表示要求中の患者ＩＤによって特定される患者の受診レコードであって、その年度が受診履歴表示要求中の表示年度に対応した各科の受診レコードを全て履歴情報記憶部182から入力する（ステップＳ2201）。次いで、受診歴表示データ生成手段１５は、入力した各年度分の各科の受診レコードの内の、１年分の受診レコードに注目する（ステップＳ2202）。
【００９７】
その後、何日目かを示す変数ｎの値を「１」にし、各科の受診レコードの第ｎByte目が０であるか否かを調べることにより、第ｎ日目に診療が行われたか否かを調べる（ステップＳ2204，Ｓ2205）。そして、第ｎ日目において診察が行われたと判断した場合（ステップＳ2205がＹＥＳ）は、第ｎ日目に複数の診療科で診察が行われたか否かを調べる（ステップＳ2206）。
【００９８】
そして、複数の科で診療が行われている場合は、第ｎ日目の表示枠を、診療が行われた科の数と同数の部分領域に分ける（ステップＳ2207）。例えば、２つの科で診療が行われた場合は、図２１に示すように、第ｎ日目の表示枠を２つの部分領域211，212に分割する。
【００９９】
その後、受診歴表示データ生成手段１５は、第ｎ日目に自科（履歴表示要求に含まれている診療科）で診療が行われたか否かを調べる（ステップＳ2208）。そして、自科で診療が行われている場合（ステップＳ2208がＹＥＳ）は、複数の部分領域の内の、一番上の部分領域の表示色を自科に割り当てられている表示色（表示色記憶部1831に自科に対応付けて登録されている表示色）とし、残りの部分領域の表示色をその日に診療を行った他科に割り当てられている表示色とする（ステップＳ2209）。尚、他科の数が複数である場合には、表示順記憶部1832に格納されている優先順位が高い科ほど、上の部分領域を割り当てる。その後、ステップＳ2209で決定した各部分領域の表示色に基づいて、第ｎ日目の受診歴表示用データ（HTMLタグ）を生成する（ステップＳ2211）。
【０１００】
これに対して、第ｎ日目に自科で診療が行われていなかった場合（ステップＳ2208がＮＯ）は、第ｎ日目に診療を行った各科に、表示順記憶部1832に格納されている優先順位に従って、各部分領域を割り当て、各部分領域の表示色をその部分領域が割り当てられた科の表示色とする（ステップＳ2210）。その後、ステップＳ2210で決定した各部分領域の表示色に基づいて、第ｎ日目の受診歴表示用データ（HTMLタグ）を生成する（ステップＳ2211）。
【０１０１】
また、第ｎ日目には、１つの科でしか診療が行われていないと判断した場合（ステップＳ2206がＮＯ）は、第ｎ日目の表示色をその日に診療を行った科に割り当てられている表示色にすることを決定した後（ステップＳ2212）、第ｎ日目の受診歴表示用データ（HTMLタグ）を生成する（ステップＳ2211）。
【０１０２】
また、第ｎ日目には、どの科でも診療が行われていないと判断した場合（ステップＳ2205がＮＯ）は、第ｎ日目が月末あるいは本日であるか否かを調べる（ステップＳ2213）。そして、第ｎ日目が月末でも本日でもない場合（ステップＳ2213がＮＯ）は、第ｎ日目を非診療日の表示色と決定した後（ステップＳ2214）、ステップＳ2211の処理を行う。これに対して、第ｎ日目が月末あるいは本日である場合（ステップＳ2213がＹＥＳ）には、第ｎ日目の表示色を予め月末，本日用に定められている表示色とすることを決定した後（ステップＳ2215）、ステップＳ2211の処理を行う。
【０１０３】
ステップＳ2211の処理が完了すると、受診歴表示データ生成手段１５は、ｎを＋１する（ステップＳ2216）。そして、ｎ≠367の場合（ステップＳ2217がＮＯ）は、ステップＳ2205の処理に戻り、ｎ＝367の場合（ステップＳ2217がＹＥＳ）は、現在注目中の１年分の各科の受診レコードについての処理が完了したことになるので、他の年度の受診レコードに注目し、前述した処理と同様の処理を行う。以上の処理を、ステップＳ2201で入力した全ての年度の受診レコードに対して行うと（ステップＳ2203がＮＯ）、受診歴表示データ生成手段１５は、入院期間を表示するためのHTMLタグ生成処理を行う（図１９のステップＳ194）。このステップＳ194の処理を図２３のフローチャートを参照して説明する。
【０１０４】
先ず、受診歴表示データ生成手段１５は、受診歴表示要求中の患者ＩＤによって特定される患者の入退院レコードであって、その年度が受診歴表示要求中の表示年度に対応した入退院レコードを全て履歴情報記憶部182から入力する（ステップＳ231）。その後、受診歴表示データ生成手段１５は、入力した各年度分の入退院レコードの内の、１年分の入退院レコードに注目する（ステップＳ232）。
【０１０５】
その後、変数ｎの値を「１」にし、注目入退院レコード中の第ｎByte目が０であるか否かを調べることにより、第ｎ日目が入院中であるか否かを調べる（ステップＳ234，Ｓ235）。そして、第ｎ日目が入院中である場合（ステップＳ235がＹＥＳ）は、ｎ日目の表示色を、図２１に示すように入院中であることを示す表示色に決定した後、ｎ日目の入退院表示用のデータ（HTMLタグ）を生成する（ステップＳ236，Ｓ238）。これに対して、ｎ日目が入院中でないと判断した場合（ステップＳ235がＮＯ）は、ｎ日目の表示色を無色に決定した後、ｎ日目の入退院表示用のHTMLタグを生成する（ステップＳ238）。
【０１０６】
ステップＳ238の処理が終了すると、受診歴表示データ生成手段１５は、ｎを＋１する（ステップＳ239）。そして、ｎ≠367の場合（ステップＳ240がＮＯ）は、ステップＳ235の処理に戻り、ｎ＝367の場合（ステップＳ240がＹＥＳ）は、現在注目中の１年分の入退院レコードについての処理が完了したことになるので、他の年度の入退院レコードに注目し、前述した処理と同様の処理を行う。以上の処理を、ステップＳ231で入力した全ての年度の入退院レコードに対して行うと（ステップＳ233がＮＯ）、受診歴表示データ生成手段１５は、直近受診歴表示データ生成手段１６を利用して直近詳細を表示するための直近受診歴表示データを生成する(ステップＳ195)。
【０１０７】
ここで、ステップＳ195の処理を詳しく説明すると、次のようになる。受診歴表示データ生成手段１５は、直近受診歴表示データ生成手段１６に対して、受診歴表示要求中の患者ＩＤおよびステップＳ191で直近表示数記憶部1833から入力した直近表示数を渡す。これにより、直近受診歴表示データ生成手段１６は、図２４のフローチャートに示す処理を行う。
【０１０８】
先ず、直近受診歴表示データ生成手段１６は、受診歴表示データ生成手段１５から渡された患者ＩＤによって特定される患者の受診レコードであって、新しい方から１年分の各科の受診レコードを履歴情報記憶部182から入力する（ステップＳ241）。その後、年末（１２月３１日）から何日前であるのかを表す変数ｍの値を「０」とし（ステップＳ243）、ステップＳ241で入力した各科の受診レコードに基づいて、年末からｍ日前に何れかの科で診療が行われたか否かを調べる（ステップＳ244）。
【０１０９】
このステップＳ244では、入力した各科の受診レコードの、年末からｍ日前の日付けに対応するByteデータに注目し、注目した各科のByteデータの対応するbit同士の論理和を取り、何れかのbitの論理和が“１”になった場合、診療が行われたと判断する。例えば、ステップＳ241で図２５（Ａ）に示すように、内科，皮膚科，外科の受診レコードを入力し、変数ｍによって特定される日付けが８月１５日であったとすると、各科の８月１５日に対応するByteデータは、全てのbitが“０”であるので、それらの論理和は、図２５（Ｂ）に示すように、全bit“０”となる。従って、８月１５日には診療が行われていないと判断することになる。これに対して、変数ｍに対応する日付けが８月１４日であったとすると、外科のByteデータの最下位bitが“１”となっているので、図２５（Ｂ）に示すように、論理和の最下位bitが“１”となる。従って、８月１４日には診療が行われたと判断することになる。
【０１１０】
変数ｍによって特定される日に、何れの科においても診療が行われなかった場合（ステップＳ244がＮＯ）は、変数ｍの値を＋１した後、ｍ＝367であるか否かを調べる（ステップＳ247，Ｓ248）。
【０１１１】
これに対して、変数ｍによって特定される日に、何れかの科において診療が行われた場合（ステップＳ244がＹＥＳ）は、図２５（Ｃ）に示すように、その日の日付けと診療を行った科とを対応付けて内部に保持する（ステップＳ245）。その後、直近受診歴表示データ生成手段１６は、内部に保持している日付けと科との対の数が、受診歴表示データ生成手段１５から渡された直近表示数になったか否かを調べる（ステップＳ246）。そして、直近表示数になっていない場合（ステップＳ246がＮＯ）は、変数ｍを＋１した後（ステップＳ247）、ｍの値が「367」になったか否かを調べ（ステップＳ248）、ｍ≠367であれば、ステップＳ244に戻り、ｍ＝367であれば、ステップＳ241に戻り、次に新しい年度の各科の受診レコードを入力する。
【０１１２】
以上の処理を保持している日付けと科との対の数が直近表示数になるか（ステップＳ246がＹＥＳ）、或いは該当する患者の受診レコードがなくなるまで行うと（ステップＳ242がＮＯ）、直近受診歴表示データ生成手段１６は、保持している日付けと科との対に基づいて、図８（Ｂ）に示すような直近詳細８２をテキスト表示させるための直近受診歴表示データを生成し、受診歴表示データ生成手段１５に渡す（ステップＳ249）。
【０１１３】
受診歴表示データ生成手段１５は、直近受診歴表示データ生成手段１６から直近受診歴表示データが渡されると、この直近受診歴表示データと、ステップＳ192〜Ｓ194で生成した各表示用HTMLを要求元の端末装置２−ｊに送信する（ステップＳ196）。
【０１１４】
これにより、端末装置２−ｊ内の受診歴処理手段２３は、図８（Ｂ）に示すように、受診歴表示グラフ８１，直近詳細８２，手術日８３，入院期間８４を表示部２５に表示する（図１８のステップＳ184）。
【０１１５】
尚、上述した実施の形態では、手術レコード，入退院レコードは、各科で共通の１つのレコードとしたが、各科毎に手術レコード，入退院レコードを用意し、手術日や入院期間も受診歴と同様に、科毎に色分けして表示するようにしても良い。また、上述した実施の形態では、各診療科毎に受診レコードを生成し、受診歴表示グラフにおける診療日の表示色を各科毎に異なるものにしたが、各科共通で１つの受診レコードを生成し、受診歴表示グラフにおける診療日の表示色を各科で共通の色とするようにしても良い。このようにする場合には、表示色記憶部1831には、非診療日の表示色と診療日の表示色のみを登録しておけば良い。
【０１１６】
〔実施の形態の効果〕
本実施の形態によれば、医師が直感的に、患者の診療時期を示す受診歴を把握することが可能になる。患者の診療時期を示す受診歴は、例えば、最後に来院してから期間が経過した患者や、数ヶ月に１回などの間隔で来院する患者に対する過去の記憶を呼び起こすために役に立つ情報であり、このような情報を医師が直感的に把握できるようになると、診療時間の短縮を図ることが可能になる。医師が直感的に、患者の診療時期を示す受診歴を把握できる理由は、１日を単位長とした所定期間分の帯状の受診歴表示グラフ８１であって、非診療日に対応する領域の表示形態を表示ルール記憶部183に格納されている非診療日の表示形態とし、診療日に対応する領域の表示形態を上記表示ルール記憶部182に格納されている診療日の表示形態とした、視覚的に認識可能な受診歴表示グラフ８１を、医師が操作する端末装置２−ｊの表示部２５に表示するようにしているからである。
【０１１７】
また、本実施の形態によれば、医師が直感的に、患者の各診療科における診療時期を示す受診歴を把握することが可能になる。患者の各診療科における診療時期を示す受診歴は、例えば、医師が患者の病因を絞り込むために役に立つ情報であり、このような情報を医師が直感的に把握できるようになると、診療時間の短縮を図ることが可能になる。更に、緊急搬送された意識不明の患者などは、過去のカルテが唯一の情報源となる場合があり、このような場合、医師が直感的に過去の各科における診療時期を認識できるということは、患者の生命を救う上で、非常に役に立つ。医師が直感的に、患者の各診療科における診療時期を示す受診歴を把握できる理由は、１日を単位長とした所定期間分の帯状の受診歴表示グラフ８１であって、非診療日に対応する領域の表示形態を表示ルール記憶部183に格納されている非診療日の表示形態とし、診療日に対応する領域の表示形態を上記表示ルール記憶部183に格納されている診療科の表示形態とした、視覚的に認識可能な受診歴表示グラフ８１を、医師が操作する端末装置２−ｊの表示部２５に表示するようにしているからである。
【０１１８】
また、本実施の形態によれば、同日に複数の診療科で診療が行われたということも、直感的に把握することが可能になる。その理由は、受診歴表示グラフ８１中の、複数の診療科で診療が行われた日に対応する領域については、その領域が診療を行われた各診療科毎の部分領域に分割され、且つ各部分領域の表示色を該当する診療科の表示色にする受診歴表示データを作成する受診歴表示データ生成手段１５を備えているからである。
【０１１９】
更に、本実施の形態によれば、医師が自科の受診歴を、他科の受診歴と容易に区別することが可能になる。その理由は、自科の受診歴を、受診歴表示グラフ８１の最上部の表示するようにしているからである。
【０１２０】
更に、本実施の形態によれば、直近の詳細な受診歴を医師が把握することが可能になる。その理由は、該当する患者の各診療科の履歴情報に基づいて、上記患者が何れかの診療科において診療を受けた、現時点に近い方から所定個数の診療日と、その診療日において診療を受けた診療科とをテキスト表示するための直近受診歴表示データを生成する直近受診歴表示データ生成手段１６を備えているからである。
【０１２１】
更に、本実施の形態によれば、手術日や入院期間も医師が直感的に把握することが可能になる。その理由は、受診歴表示グラフ８１に対応付けて手術日８３や入院期間８４も表示するようにしたからである。
【０１２２】
更に、本実施の形態によれば、履歴情報のサイズを小さなものとし、履歴情報を格納しておくためのメモリ資源の容量を少なくすることができる。その理由は、履歴情報中の診療日特定情報が、所定期間における各日を、それぞれ所定ビット数のバイナリコードに対応付けたものであるからである。
【図面の簡単な説明】
【０１２３】
【図１】本発明にかかる診療データ管理システムの実施の形態の全体構成例を示すブロック図である。
【図２】診療データ管理装置１の構成例を示すブロック図である。
【図３】診療データ記憶部1811の内容例を示す図である。
【図４】入院データ記憶部1812の内容例を示す図である。
【図５】履歴情報記憶部182の内容例を示す図である。
【図６】表示色記憶部1831の内容例を示す図である。
【図７】表示順記憶部1832の内容例を示す図である。
【図８】受診歴表示グラフ８１，直近詳細８２，手術日８３，入院期間８４の表示例を示す図である。
【図９】端末装置２−１の構成例を示すブロック図である。
【図１０】診療データ入力画面100の一例を示す図である。
【図１１】診療データ入力画面表示指示が入力されたときの診療データ処理手段２２の処理例を示すフローチャートである。
【図１２】検索要求が入力されたときの診療データ処理手段２２の処理例を示すフローチャートである。
【図１３】診療データの削除，修正を説明するための図である。
【図１４】診療録情報格納手段１２の処理例を示すフローチャートである。
【図１５】履歴情報格納手段１３の処理例を示すフローチャートである。
【図１６】入退院レコード登録処理の一例を示すフローチャートである。
【図１７】受診歴表示要求入力画面170の一例を示す図である。
【図１８】受診歴処理手段２３の処理例を示すフローチャートである。
【図１９】受診歴表示要求を受診したときの受診歴表示データ生成手段１５，直近受診歴表示データ生成手段１６の処理例を示すフローチャートである。
【図２０】手術日表示用のデータを生成する際の処理例を示すフローチャートである。
【図２１】手術日，受診歴，入力期間の表示方法を説明するための図である。
【図２２】受診歴表示グラフ表示用のデータを生成する際の処理例を示すフローチャートである。
【図２３】入院期間表示用のデータを生成する際の処理例を示すフローチャートである。
【図２４】直近受診歴表示データ生成手段１６の処理例を示すフローチャートである。
【図２５】直近受診歴表示データ生成手段１６の動作を説明するための図である。
【符号の説明】
【０１２４】
１…診療データ管理装置
１１…送受信手段
１２…診療録情報格納手段
１３…履歴情報格納手段
１４…検索手段
１５…受診歴表示データ生成手段
１６…直近受診歴表示データ生成手段
１７…表示ルール設定手段
１８…記憶装置
181…診療録情報記憶部
1811…診療データ記憶部
1812…入院データ記憶部
182…履歴情報記憶部
183…表示ルール記憶部
1831…表示色記憶部
1832…表示順記憶部
1833…直近表示数記憶部
１９…入力部
２０…表示部
２−１〜２−ｎ…端末装置
２１…送受信手段
２２…診療データ処理手段
２３…受診歴処理手段
２４…入力部
２５…表示部
３…ネットワーク
【図１】
2006178810.tif 000003
【図２】
2006178810.tif 000004
【図３】
2006178810.tif 000005
【図４】
2006178810.tif 000006
【図５】
2006178810.tif 000007
【図６】
2006178810.tif 000008
【図７】
2006178810.tif 000009
【図９】
2006178810.tif 000010
【図１０】
2006178810.tif 000011
【図１１】
2006178810.tif 000012
【図１２】
2006178810.tif 000013
【図１４】
2006178810.tif 000014
【図１５】
2006178810.tif 000015
【図１６】
2006178810.tif 000016
【図１７】
2006178810.tif 000017
【図１８】
2006178810.tif 000018
【図１９】
2006178810.tif 000019
【図２０】
2006178810.tif 000020
【図２１】
2006178810.tif 000021
【図２２】
2006178810.tif 000022
【図２３】
2006178810.tif 000023
【図２４】
2006178810.tif 000024
【図２５】
2006178810.tif 000025
【図８】
2006178810.tif 000026
【図１３】
2006178810.tif 000027